(57)【要約】      （修正有）【課題】着脱操作が容易であり、スイング動作の一連のリズム感を会得させて技量向上が図られるスイング練習用グリップ保持バンドを提供する。【解決手段】バット２を把持した手をそのままの状態で包み込むようにして保持する包込み保持部３と、この包込み保持部３の両側に一体に形成してそれぞれ手首に重ね合わせるようにして巻き付けることにより手を包み込んだ包込み保持部を固定する第１固定ベルト部４及び第２固定ベルト部５との第１固定手段及び第２固定手段から構成する。【選択図】図６
0003169314.tif 000002
【実用新案登録請求の範囲】
【請求項１】
打撃具を把持した手を手首ととともに包み込んだ状態で固定するスイング練習用グリップ保持バンド。
【請求項２】
弾性を有する緩衝生地素材により一体に形成され、打撃具を把持した手をそのままの状態で包み込むようにして保持する包込み保持部と、  前記包込み保持部の両側に一体に形成してそれぞれ手首に重ね合わせるようにして巻き付ける第１固定ベルト部及び第２固定ベルト部と、  前記第１固定ベルト部と前記第２固定ベルト部に相対して設けられ、手首に重ね合わせて巻き付けた前記第１固定ベルト部と前記第２固定ベルト部を着脱自在に固定する第１固定手段及び第２固定手段とを有し、前記第１固定ベルト部を手首に巻き付けて固定し、前記包込み保持部を手の甲から手のひら側へと導いて前記打撃具を把持した手を包み込み、前記第２固定ベルト部を前記第１固定ベルト部に重ね合わせるようにして手首に巻き付けて前記第１固定手段と前記第２固定手段により固定することにより、打撃具を把持した手を手首ととともに包み込んだ状態で固定することを特徴とするスイング練習用グリップ保持バンド。
【請求項３】
前記包込み保持部には、前記打撃具を把持した手の第１関節と対向する位置に複数個のスリットを形成し、これらスリットを介して幅方向に拡張自在としたことを特徴とする請求項２に記載のスイング練習用グリップ保持バンド。
【請求項４】
前記第１固定ベルト部と前記第２固定ベルト部に設けた前記第１固定手段と前記第２固定手段は、相対する面をフック面とループ面として取り付けた面ファスナー体であることを特徴とする請求項２又は請求項３に記載のスイング練習用グリップ保持バンド。
【考案の詳細な説明】
【技術分野】
【０００１】
本考案は、野球やゴルフ等の打撃スポーツにおけるバットやゴルフクラブのスイング練習の際に用いるスイング練習用グリップ保持バンドに関する。
【背景技術】
【０００２】
野球やゴルフ等の打撃スポーツにおいては、スイング練習を繰り返すことにより安定したスイングホームが体に覚え込まれ、技量の向上が図られるようになる。しかしながら、スイング練習においては、むやみにバットやゴルフクラブを振り回すことでは効果を期待することができないばかりか、かえって誤ったスイングホームが身に付いてしまって技量の向上を妨げてしまうといった問題もある。
【０００３】
スイング練習においては、練習生の傍らでコーチがスイング動作をチェックし、その都度動作の評価や修正すべき箇所のアドバイスを伝えて理想的なスイング動作を覚え込ませることが有効である。スイング練習においては、練習生が理想的なスイング動作を行った場合に、コーチが体の動きやグリップ位置等の状態を伝えて次のスイング動作も同様に行うように指導する。
【０００４】
ところで、打撃スポーツにおいては、バットやゴルフクラブを握るグリップの状態がきわめて重要である。野球のバットスイングは、例えば右打者の場合、右手でバットをしっかりと把持した状態で左手でボールの球筋に合わせてスイング動作を行う。バットスイングでは、ある程度力を抜いた状態でバットを把持して無理なく球筋に合わせたバットコントロールが行われるようにし、インパクトの瞬間ではしっかりと力を入れてボールに反発力を集中させ、再び力を抜きながらホロースルをとるといった動作が行われる。バットスイングでは、右手がインパクトの衝撃に対してバットにブレが生じないようにしっかりと保持するとともにボールを遠くへと押し出す作用を奏する。
【０００５】
バットスイングでは、一連のスイング動作において各位置において生じる「力を抜く」−「力を入れる」−「力を抜く」のリズム感がきわめて重要でありコーチも練習生に対してこのリズム感を教え込もうとするが、感覚的な内容であって初心者等にとって会得が難しかった。なお、かかるバットのスイングの問題は、ゴルフクラブのスイング動作においても共通するものである。
【０００６】
従来では、もっぱら手首をしっかりと固定することに着目したグリップ保持具が提供されていた。例えば、特許文献１は、手首と中指との間を固定することによりスイングの際の不要な手首の動きを制限するゴルフにおける手首保持具が記載されている。なお、特許文献２には、技量向上用のグリップ保持具では無いが、スイング練習時に誤ってバットが飛ばないようにするバット離脱防止器具が記載されている。
【先行技術文献】
【特許文献】
【０００７】
【特許文献１】実用新案登録第３１０４７１９号公報
【特許文献２】実開昭６３−５９６７１号公報
【考案の概要】
【考案が解決しようとする課題】
【０００８】
打撃スポーツにおいては、上述したように一連のスイング動作において「力を抜く」−「力を入れる」−「力を抜く」のリズム感を感覚的に会得させることがきわめて重要である。しかしながら、従来では、もっぱらグリップを固定することを主体としたグリップ保持具は提供されていたが、上述したリズム感を会得させるグリップ保持具は提供されていない。
【０００９】
したがって、本考案は、着脱操作が容易でありスイング動作に伴う一連のリズム感を会得させることにより技量向上を図るスイング練習用グリップ保持バンドを提供することを目的とする。
【課題を解決するための手段】
【００１０】
上述した目的を達成する本考案にかかるスイング練習用グリップ保持バンドは、練習生の打撃具を把持した片方の手を包み込んだ状態で手首に固定して保持する。スイング練習用グリップ保持バンドは、グリップの緩みを無くすとともに、スイング動作に伴って打撃具を把持した手にかかる力の変化を感じさせるようにする。
【００１１】
また、本考案にかかるスイング練習用グリップ保持バンドは、弾性を有する緩衝生地素材により、打撃具を把持した手をそのままの状態で包み込むようにして保持する包込み保持部と、この包込み保持部の両側に一体に形成してそれぞれ手首に重ね合わせるようにして巻き付けることにより手を包み込んだ包込み保持部を固定する第１固定ベルト部及び第２固定ベルト部と、第１固定ベルト部と第２固定ベルト部に相対して設けられて手首に重ね合わせて巻き付けた第１固定ベルト部と第２固定ベルト部を固定する第１固定手段及び第２固定手段とから構成する。スイング練習用グリップ保持バンドは、第１固定ベルト部を手首に巻き付けて第１固定手段により固定し、包込み保持部を手の甲から手のひら側へと導いて打撃具を把持した手を包み込み、第２固定ベルト部を第１固定ベルト部に重ね合わせるようにして手首に巻き付けて第２固定手段により固定する。スイング練習用グリップ保持バンドは、ゆるみが生じないグリップ状態でスイング動作が行われるようにするとともに、スイング動作に伴って打撃具を把持した手にかかる力の変化を感じさせるようにする。
【考案の効果】
【００１２】
スイング練習用グリップ保持バンドによれば、打撃具を把持した状態をしっかりと保持することから、一連のスイング動作において力のかかる位置と力が分散される位置とを把持した手に直接感覚させるようにする。したがって、スイング練習用グリップ保持バンドによれば、一連のスイング動作において、「力を抜く」−「力を入れる」−「力を抜く」のリズム感を会得させることにより効率的な練習が行われるようにして、技量向上を図ることを可能とする。
【図面の簡単な説明】
【００１３】
【図１】本考案の実施の形態として示すスイング練習用グリップ保持バンドの正面図である。
【図２】同スイング練習用グリップ保持バンドの背面図である。
【図３】第１固定ベルト部を手首に巻き付けて固定した状態の説明図である。
【図４】バットを把持した状態の説明図である。
【図５】第２固定ベルト部を手首に巻き付けて固定する説明図である。
【図６】バットを構えた使用状態の説明図である。
【考案を実施するための形態】
【００１４】
以下、本考案の実施の形態として図面に示したスイング練習用グリップ保持バンド（以下、保持バンドと略称する。）１について詳細に説明する。実施の形態は、野球のバット２のスイング練習の適用例を示すが、野球のスイング練習ばかりでなく、例えばゴルフのクラブスイング練習等にも好適に用いられる。また、実施の形態として示す保持バンド１は、右打者の使用例を示したが左打者にも使用可能である。なお、以下の説明において、表面とは使用状態において外側となる面であり、内面とは打撃具を把持した手の甲や手のひらに接する側となる面である。
【００１５】
保持バンド１は、練習生（使用者）のバット２を把持した片方の手を包み込んだ状態のままで手首に固定することにより、グリップ状態をしっかりと保持してスイング動作が行われるようにする。保持バンド１は、スイング動作時においても正しいグリップが保持されるようにするとともに、一連のスイング動作に伴って各位置において手にかかる負荷の変化を知覚させることにより「力を抜く」−「力を入れる」−「力を抜く」のリズム感を会得させる。
【００１６】
保持バンド１は、ある程度の強度と弾性を有する緩衝生地素材、例えば布貼りウレタン樹脂シートや皮革等を素材にして一体に形成される。保持バンド１は、図１及び図２に示すように、包込み保持部３と、この包込み保持部３の両側に一体に形成した第１固定ベルト部４及び第２固定ベルト部５とから構成する。保持バンド１は、包込み保持部３が、例えば標準的な成人男性の手の幅とほぼ等しい幅で、軽く握った手の甲から手のひらを包み込むに足る長さを有する展開状態において縦長矩形に形成される。
【００１７】
包込み保持部３は、後述するように第１領域部位３Ａがその内面を使用者の外側手首部位から甲部位にあてがわれるとともに、第２領域部位３Ｂが曲げられた第２関節を経由して手のひら部位から手首部位にあてがわれる。包込み保持部３は、中央領域が両側縁にそれぞれ凹部を形成することによりやや幅狭とすることにより、湾曲させやすい構造となっている。なお、保持バンド１は、例えば子供用として提供される場合には各部が小さな寸法により形成される。
【００１８】
包込み保持部３には、中央領域から第１領域部位３Ａの第１関節にあてがわれる部位に対応位置して３本の長さ方向のスリット６Ａ、６Ｃ（以下、スリット６と総称する。）が形成されている。包込み保持部３は、第１領域部位３Ａが使用状態において大きく曲げられかつ横方向に拡がる第１関節群により押し上げられるが、スリット６が幅方向に拡張されることにより手を包み込んだ状態が保持されるようにする。
【００１９】
保持バンド１は、バット２を把持した状態で手を包み込む包込み保持部３を、それぞれ手首に重ね合わせるようにして巻き付ける第１固定ベルト部４と第２固定ベルト部５により保持する。保持バンド１は、後述するように第１固定ベルト部４を手首に巻き付けて固定するとともに、この第１固定ベルト部４に重ね合わせるようにして第２固定ベルト部５を手首に巻き付けて固定する。
【００２０】
保持バンド１には、第１固定ベルト部４と第２固定ベルト部５に設ける固定手段としてループを起毛したループ面とフックを起毛したフック面とを押し付けることにより面的な結合及び取り外しが行われる面ファスナーが用いられる。保持バンド１は、かかる面ファスナーを用いることにより使用者が介添え者を必要とせずに着脱操作が行われるようになる。保持バンド１は、面ファスナーを用いることにより、長さの調整も自在でありかつ強固な固定を行うことが可能である。なお、保持バンド１は、かかる面ファスナーに限定されず、適宜の着脱自在な固定手段を用いてもよいことは勿論である。
【００２１】
保持バンド１は、第１固定ベルト部４を、包込み保持部３の一端部において両側縁から突出する部位として一体に形成する。第１固定ベルト部４は、手首の屈伸動作、すなわちコック動作を規制するように、手首に対してある程度の幅を以って巻き付ける幅寸法を有している。第１固定ベルト部４には、図１に示すように表面側に結合手段を構成する第１面ファスナー体７を設けるとともに内面側にも結合手段を構成する第２面ファスナー体８が設けられている。第１面ファスナー体７と第２面ファスナー体８は、第１固定手段を構成する。
【００２２】
第１面ファスナー体７は、第１固定ベルト部４に包込み保持部３と直交するようにして長さ方向のほぼ全長に亘って設けられる。第１面ファスナー体７は、結合面を構成する表面側をループ面として第１固定ベルト部４に設けられる。第２面ファスナー体８は、第１固定ベルト部４の一端側から突出するようにして設けられ、第１固定ベルト部４を手首に巻き付けた状態で、第１面ファスナー体７に重ね合わされる。第２面ファスナー体８は、第１面ファスナー体７と対向する内面側がフック面とされて第１固定ベルト部４に設けられる。
【００２３】
第１固定ベルト部４は、後述するように内面側を内にして手首に巻き付けるとともに、第１面ファスナー体７の先端側部位に第２面ファスナー体８を重ね合わせて押し付けることにより結合する。第１固定ベルト部４は、手首に所定幅で巻き付けられるとともに第２面ファスナー体８を引っ張りながら第１面ファスナー体７の先端側部位と結合することにより、手首を半固定状態とする。第１固定ベルト部４は、手首に巻き付けた状態で、第１面ファスナー体７の甲に対向する中央部分が露出しており、この露出部分に第２固定ベルト部５が結合される。
【００２４】
保持バンド１は、第２固定ベルト部５も、第１固定ベルト部４と対向して包込み保持部３の多端部において両側縁から突出する部位として一体に形成する。第２固定ベルト部５も、第１固定ベルト部４と共同して手首のコック動作を規制するように、手首に対してある程度の幅を以って巻き付ける幅寸法を有している。第２固定ベルト部５にも、図１及び図２に示すように結合手段を構成する第３面ファスナー体９と第４面ファスナー体１０及び第５面ファスナー体１１が設けられている。第３面ファスナー体９、第４面ファスナー体１０及び第５面ファスナー体１１は、第２固定手段を構成する。
【００２５】
第３面ファスナー体９は、図１及び図２に示すように第２固定ベルト部５の、上述した第１固定ベルト部４の第２面ファスナー体８と対角位置の一方側端側から側方へと突出するようにして設けられる。第３面ファスナー体９は、結合面を構成するフック面を内面側にして第２固定ベルト部５に設けられ、後述するように第１固定ベルト部４側の第２面ファスナー体８の外周部に対して手首の甲側部位において結合が行われるようにする。
【００２６】
第４面ファスナー体１０は、図１及び図２に示すように第２固定ベルト部５の、上述した第３面ファスナー体９と対向する他方側端側から側方へと突出するようにして設けられる。第４面ファスナー体１０も、結合面を構成するフック面を内面側にして第２固定ベルト部５に設けられ、後述するように第１固定ベルト部４側の第２面ファスナー体８の外周部に対して手首の甲側部位において結合が行われるようにする。
【００２７】
第５面ファスナー体１１は、図２に示すように第２固定ベルト部５の、内面中央部に第３面ファスナー体９と第４面ファスナー体１０との間に位置して設けられる。第５面ファスナー体１１は、結合面を構成するフック面を内面側にして第２固定ベルト部５に設けられ、後述するように第１固定ベルト部４側の第１ファスナー体の外周部に対して手首の内側部位において結合が行われるようにする。
【００２８】
なお、保持バンド１は、第１ファスナー体７乃至第５面ファスナー体１１が、上述した結合面を以って第１固定ベルト部４及び第２固定ベルト部５に設けるようにしたが、かかる取付構造に限定されないことは勿論である。保持バンド１は、第１ファスナー体７乃至第５面ファスナー体１１についてフック面とループ面とを逆にして第１固定ベルト部４及び第２固定ベルト部５に設けるようにしてもよい。また、保持バンド１は、第２固定ベルト部５に、第３面ファスナー体９乃至第５面ファスナー体１１を独立して設けるようにしたが、一体の面ファスナー体によって構成するようにしてもよいことは勿論である。
【００２９】
以上のように構成した保持バンド１の使用方法について、図３乃至図６を参照して以下説明する。保持バンド１は、図３に示すように内面を表側にし、使用者が右利きであれば右手に、左利きであれば左手に装着する。保持バンド１は、同図に示すように使用者の右手が第１間接をスリット６に合わせるようにして包込み保持部３上に載せられる。保持バンド１においては、第１固定ベルト部４を手首に巻き付け、第１面ファスナー体７の先端側部位に対して第２面ファスナー体８を引っ張りながら重ね合わせる。
【００３０】
保持バンド１においては、第１面ファスナー体７側のループ面に第２面ファスナー体８側のフック面を押し付けることにより面結合が行われ、図３に示すように使用者の手首に第１固定ベルト部４を巻き付けて固定される。保持バンド１においては、図４に示すように使用者が包込み保持部３上においてバット２を把持し、この状態のまま同図矢印ａで示すように第２固定ベルト部５を第１固定ベルト部４上に重ね合わせるように包込み保持部３の折り込みが行われる。
【００３１】
保持バンド１においては、図５に示すように包込み保持部３が使用者の手の甲から手のひら側へと導かれてバット２を把持した手を包み込むようにする。保持バンド１においては、手首を固定した第１固定ベルト部４の外周部に第２固定ベルト部５が重ね合わされ、手首の内側中央部位において第１面ファスナー体７に第５ファスナー体１１が重ね合わされる。保持バンド１においては、第１面ファスナー体７側のループ面に第５面ファスナー体１１側のフック面を押し付けることにより、第１固定ベルト部４の外周部に第２固定ベルト部５の内周部が面結合する。
【００３２】
保持バンド１においては、第２固定ベルト部５から側方に突出した状態にある第３面ファスナー体９と第４面ファスナー体１０を、それぞれ第１固定ベルト部４の第１面ファスナー体７の外周部に巻き付けるようにして重ね合わす。保持バンド１においては、第３面ファスナー体９を図５矢印ｂで示すように反時計方向で第１面ファスナー体７の外周部に巻き付ける。保持バンド１においては、第４面ファスナー体１０を同図矢印ｃに示すように時計方向で第１面ファスナー体７の外周部に巻き付ける。
【００３３】
保持バンド１においては、第１面ファスナー体７側のループ面に第３面ファスナー体９と第４面ファスナー体１０のフック面を押し付けることにより、第１固定ベルト部４の外周部に第２固定ベルト部５の内周部が面結合する。保持バンド１においては、簡易な操作によって装着されることにより、バット２を把持した右手を包み込んで保持する。
【００３４】
保持バンド１においては、バット２を把持した右手を包み込んだ包込み保持部３が、第１固定ベルト部４と第２固定ベルト部５を手首に巻き付けて重ね合わせて固定することにより、しっかりと保持される。使用者は、図６に示すようにバット２を把持した右手を保持バンド１によって保持するとともにグリップエンド側を左手で把持してスイング練習を行う。使用者は、バット２に対して、かるく把持した左手により球筋に合わせたバットコントロールが行われるようにし、保持バンド１によりしっかりと保持された右手がインパクトの瞬間ではしっかりと力を入れてボールに反発力を集中させてインパクトの衝撃に対してバット２にブレが生じないようにしたスイング動作が可能となる。
【００３５】
保持バンド１においては、使用者に対してバット２を把持した右手を包み込むようにして全体を保持することから、一連のスイング動作において右手にバット２の位置に応じて負荷の変化を知覚させるようにする。保持バンド１においては、これにより使用者に対して一連のスイング動作において「力を抜く」−「力を入れる」−「力を抜く」のリズム感を効率的かつ的確に会得させるようにする。
【００３６】
保持バンド１においては、弾性を有する緩衝生地素材により形成したことにより、使用者のバット２を把持した右手をしっかりと保持するがスイング動作を妨げることはなく、また長時間の使用にも擦れ等の発生を抑制する。保持バンド１においては、練習終了後に、上述した装着手順とは逆の順序で結合状態にある第１面ファスナー体７乃至第５面ファスナー体１１を引き剥がすことにより、右手からの取り外しが行われる。
【００３７】
なお、本考案は、図面を参照して説明した実施の形態として示した上述した保持バンド１に限定されるものではなく、添付の実用新案登録請求の範囲及びその要旨を逸脱することなく、様々な変更、置換或いは同等に構成されることは当業者にとって明らかである。
【符号の説明】
【００３８】
１  保持バンド（スイング練習用グリップ保持バンド）、２  バット（打撃具）、３  包込み保持部、４  第１固定ベルト部、５  第２固定ベルト部、６  スリット、７  第１面ファスナー体、８  第２面ファスナー体、９  第３面ファスナー体、１０  第４面ファスナー体、１１  第５面ファスナー体
【図１】
0003169314.tif 000003
【図２】
0003169314.tif 000004
【図３】
0003169314.tif 000005
【図４】
0003169314.tif 000006
【図５】
0003169314.tif 000007
【図６】
0003169314.tif 000008
【手続補正書】
【提出日】平成23年5月25日(2011.5.25)
【手続補正１】
【補正対象書類名】実用新案登録請求の範囲
【補正対象項目名】全文
【補正方法】変更
【補正の内容】
【実用新案登録請求の範囲】
【請求項１】
弾性を有する緩衝生地素材により一体に形成され、打撃具を把持した手をそのままの状態で包み込むようにして保持する包込み保持部と、  前記包込み保持部の両側に一体に形成してそれぞれ手首に重ね合わせるようにして巻き付ける第１固定ベルト部及び第２固定ベルト部と、  前記第１固定ベルト部と前記第２固定ベルト部に相対して設けられ、手首に重ね合わせて巻き付けた前記第１固定ベルト部と前記第２固定ベルト部を着脱自在に固定する第１固定手段及び第２固定手段とを有し、前記第１固定ベルト部を手首に巻き付けて固定し、前記包込み保持部を手の甲から手のひら側へと導いて前記打撃具を把持した手を包み込み、前記第２固定ベルト部を前記第１固定ベルト部に重ね合わせるようにして手首に巻き付けて前記第１固定手段と前記第２固定手段により固定することにより、打撃具を把持した手を手首ととともに包み込んだ状態で固定することを特徴とするスイング練習用グリップ保持バンド。
【請求項２】
前記包込み保持部には、前記打撃具を把持した手の第１関節と対向する位置に複数個のスリットを形成し、これらスリットを介して幅方向に拡張自在としたことを特徴とする請求項１に記載のスイング練習用グリップ保持バンド。
【請求項３】
前記第１固定ベルト部と前記第２固定ベルト部に設けた前記第１固定手段と前記第２固定手段は、相対する面をフック面とループ面として取り付けた面ファスナー体であることを特徴とする請求項１又は請求項２に記載のスイング練習用グリップ保持バンド。
【手続補正２】
【補正対象書類名】明細書
【補正対象項目名】００１１
【補正方法】変更
【補正の内容】
【００１１】
スイング練習用グリップ保持バンドは、弾性を有する緩衝生地素材により、打撃具を把持した手をそのままの状態で包み込むようにして保持する包込み保持部と、この包込み保持部の両側に一体に形成してそれぞれ手首に重ね合わせるようにして巻き付けることにより手を包み込んだ包込み保持部を固定する第１固定ベルト部及び第２固定ベルト部と、第１固定ベルト部と第２固定ベルト部に相対して設けられて手首に重ね合わせて巻き付けた第１固定ベルト部と第２固定ベルト部を固定する第１固定手段及び第２固定手段とから構成する。スイング練習用グリップ保持バンドは、第１固定ベルト部を手首に巻き付けて第１固定手段により固定し、包込み保持部を手の甲から手のひら側へと導いて打撃具を把持した手を包み込み、第２固定ベルト部を第１固定ベルト部に重ね合わせるようにして手首に巻き付けて第２固定手段により固定する。スイング練習用グリップ保持バンドは、ゆるみが生じないグリップ状態でスイング動作が行われるようにするとともに、スイング動作に伴って打撃具を把持した手にかかる力の変化を感じさせるようにする。